(57)【要約】【課題】セグメント同士の振動異音及びセグメントの軌道面接触によるトルク上昇の軽減が可能な転がり軸受用保持器およびこのような保持器を用いた転がり軸受を提供する。【解決手段】周方向に沿って所定ピッチで配設されるポケットを有する少なくとも２個の円弧状セグメントにて環状に形成されてなる転がり軸受用保持器である。周方向に沿って隣り合うセグメントを連結するための連結構造を備える。連結構造は、周方向に沿って隣り合うセグメントに跨るように、反ポケット側の軸方向端部に嵌合される円弧形状の連結部材にて構成した。【選択図】図１
2020045945.tif 000002
【特許請求の範囲】
【請求項１】
周方向に沿って所定ピッチで配設されるポケットを有する少なくとも２個の円弧状セグメントにて環状に形成されてなる転がり軸受用保持器であって、
周方向に沿って隣り合うセグメントを連結するための連結構造を備え、この連結構造は、周方向に沿って隣り合うセグメントに跨るように、反ポケット側の軸方向端部に嵌合される円弧形状の連結部材にて構成したことを特徴とする転がり軸受用保持器。
【請求項２】
前記連結部材の円周長さが、セグメントの円周長さと同等とされていることを特徴とする請求項１に記載の転がり軸受用保持器。
【請求項３】
前記連結部材は、断面コ字形の嵌合部を有し、この嵌合部がセグメントの反ポケット側の軸方向端部にスライド可能に嵌合していることを特徴とする請求項１又は請求項２に記載の転がり軸受用保持器。
【請求項４】
連結部材の嵌合部の開口端部に内部側へ膨出する周方向凸条部が設けられ、セグメントの反ポケット側の軸方向端部に前記周方向凸条部が係合する周方向凹条部が設けられていることを特徴とする請求項３に記載の転がり軸受用保持器。
【請求項５】
セグメントと連結部材との間には、係合凸部とこの係合凸部が係合する係合凹部とからなる凹凸嵌合構造にて、連結部材のセグメントに対する位置決めがなされていることを特徴とする請求項１〜請求項４のいずれか１項に記載の転がり軸受用保持器。
【請求項６】
連結部材が機械加工又はプレス成形した銅系又は鉄系金属材料からなり、連結部材側に設けられた係合凸部をセグメント側の係合凹部に嵌め込んだ状態で、前記連結部材を加締めてこの連結部材の円周方向へのスライドを抑制したことを特徴とする請求項５に記載の転がり軸受用保持器。
【請求項７】
周方向に沿って所定ピッチで配設されるポケットを有する少なくとも２個の円弧状セグメントにて環状に形成されてなる転がり軸受用保持器であって、
周方向に沿って隣り合うセグメントを連結するための連結構造を備え、この連結構造は、周方向に沿って隣り合うセグメント間に設けられる凹凸嵌合部と、この凹凸嵌合部に嵌入される固定ピンとを備えたことを特徴とする転がり軸受用保持器。
【請求項８】
前記凹凸嵌合部は、周方向に沿って隣り合うセグメントの一方のセグメント端面に設けられる凸部と、他方のセグメント端面に設けられて前記凸部が嵌合する凹部とからなり、凸部と凹部との嵌合状態で、固定ピンの嵌入で嵌合状態を維持することを特徴とする請求項７に記載の転がり軸受用保持器。
【請求項９】
前記凹凸嵌合部は、周方向に沿って隣り合うセグメント間に介在される中間部材を有し、固定ピンにて、中間部材を両セグメントに固定していることを特徴とする請求項７に記載の転がり軸受用保持器。
【請求項１０】
請求項１〜請求項９のいずれか１項に記載の転がり軸受用保持器を用いたことを特徴とする転がり軸受。
【請求項１１】
ＣＴスキャナ装置に用いられることを特徴とする請求項１０に記載の転がり軸受。
【発明の詳細な説明】
【技術分野】
【０００１】
本発明は、転がり軸受用保持器および転がり軸受に関する。
【背景技術】
【０００２】
一般的な転がり軸受を図１８に示す。この場合の転がり軸受は玉軸受であり、この玉軸受は、外径面に内側転走面１ａが形成された内輪１と、内径面に外側転走面２ａが形成された外輪２と、内輪１の内側転走面１ａと外輪２の外側転走面２ａとの間に転動自在に介在される複数の転動体としての玉（ボール）３と、内輪１と外輪２との間に配され、各玉３を円周方向等間隔に保持する樹脂製の冠形状の保持器４とで主要部が構成される。
【０００３】
内輪１と外輪２との間に配された冠形状の保持器４は、図１９に示すように、円環状をなす主部５ａと、その主部５ａの軸方向片面に互いに間隔をあけて円周方向等配で一体的に突設された一対ずつの弾性片５ｂ、５ｂとで構成され、これら一対ずつの弾性片５ｂ、５ｂの間に凹設されて外径側と内径側とに開口したポケット５ｃを備え、そのポケット５ｃで玉３を転動自在に保持する。
【０００４】
ところで、ＣＴスキャナ装置には、Ｘ線を照射するＸ線管装置や照射されたＸ線を受ける検出器を装着した回転体（回転架台）を、固定体（固定架台）に対して回転自在に支持するために転がり軸受が組み込まれており、組み込まれる転がり軸受としては、通常、直径に対して肉厚が著しく小さい軸受、いわゆる超薄肉型転がり軸受が選択される。この種のＣＴスキャナ装置は、画像形成時に固定架台の内周に入る被写体に不安感を抱かせないようにするため、運転に伴う振動や異音の発生を極力抑制する必要がある。そのため、この種のＣＴスキャナ装置に組み込まれる転がり軸受は、運転に伴う振動や異音の発生を極力抑制することが求められる。
【０００５】
このような超薄肉型転がり軸受用の保持器としては、製造上および組立上の理由から、
特許文献１から特許文献３に記載のように複数個のセグメントを組み合わせた保持器が使用される場合が多い。
【０００６】
複数のポケットを有するセグメント７は、図２０に示すように、所定ピッチで凹部８が形成された円弧形状の本体部９と、本体部９の各凹部８の開口端から突設される一対の爪部１０、１０とを有し、凹部８と対向する一対の爪部１０，１０とでポケット１１を形成する。
【０００７】
また、セグメント７の一方の端部に嵌合凸部１２が設けられるとともに、他方の端部に嵌合凹部１３が設けられたものである。この場合、例えば、嵌合凸部１２は、首部１２ａと、この首部１２ａから連設される円形状の頭部１２ｂとからなり、嵌合凹部１３も、嵌合凸部１２に対応して、首部１３ａと、この首部１３ａから連設される円形状の頭部１３ｂとからなる。
【０００８】
このため、図２１に示すように、一のセグメント７の嵌合凸部１２を、他のセグメント７の嵌合凹部１３に嵌合させることによって、周方向に隣り合うセグメントが接続（連結）される。この場合、嵌合凸部１２と嵌合凹部１３とは半径方向から押し込むことになる。
【先行技術文献】
【特許文献】
【０００９】
【特許文献１】特開２０１０−７１３８６号公報
【特許文献２】特開２００７−６４４０６号公報
【特許文献３】特開２００４−２１８７４５号公報
【発明の概要】
【発明が解決しようとする課題】
【００１０】
嵌合凸部１２を嵌合凹部１３に嵌合させるものでは、その嵌合部１５に適切な締め代を付与し、これによって、周方向に隣り合うセグメント７，７を結合することによって円環形状の保持器２４を構成することになる。
【００１１】
ところで、このような保持器２４を形成するセグメント７，７は、一般的に樹脂を素材とした射出成形品である。このため、成形誤差などによって嵌合部１５の締め代が増大したり、あるいはその締め代が減少して嵌合部１５でがたつきが発生する場合がある。
【００１２】
セグメント７，７の嵌合部１５の締め代が増大すると、嵌合凸部１２を相手側の嵌合凹部１３に半径方向から押し込む際に両方に干渉しやすくなるため、スムーズに嵌め合わせることが難しく、作業性が大幅に低下する。逆に、セグメント７，７の嵌合部１５の締め代が減少してがたつきが発生する（図２２参照）と、図１６に示すように、保持器４の形状が真円（仮想線）から多角形（実線）へ変形しやすくなり、図１７（ａ）（ｂ）に示すように、隣接するセグメント７，７間で外径方向または内径方向のずれが生じる。すなわち、セグメント７の周方向長さが比較的長い場合には、図１７（ａ）に示すように、嵌合部１５が外径側へずれ、セグメント７の周方向長さが比較的短い場合には、図１７（ｂ）に示すように、嵌合部１５が内径側へずれる傾向にある。
【００１３】
このため、ずれたセグメント７，７が軸受の内輪軌道面１ａあるいは外輪軌道面２ａと接触して打音や振動音などの異音を発生させ、また、軸受トルクの上昇を引き起こすことになる。
【００１４】
特に、ＣＴスキャナ装置に用いた場合、この種の異音が被写体にストレスを与えかねないため、異音の発生レベルの低減が強く望まれている。また、保持器４の転動体がボール３の場合、ポケット５ｃの収縮変形よりボール３との隙間が減少することによってボール３がポケット５ｃ内で拘束されやすくなって、その結果、軸受トルクが増加することになる。
【００１５】
そこで、本発明は、上記課題に鑑みて、セグメント同士の振動異音及びセグメントの軌道面接触によるトルク上昇の軽減が可能な転がり軸受用保持器およびこのような保持器を用いた転がり軸受を提供するものである。
【課題を解決するための手段】
【００１６】
本発明の第１の転がり軸受用保持器は、周方向に沿って所定ピッチで配設されるポケットを有する少なくとも２個の円弧状セグメントにて環状に形成されてなる転がり軸受用保持器であって、周方向に沿って隣り合うセグメントを連結するための連結構造を備え、この連結構造は、周方向に沿って隣り合うセグメントに跨るように、反ポケット側の軸方向端部に嵌合される円弧形状の連結部材にて構成したものである。
【００１７】
本発明の第１の転がり軸受用保持器によれば、周方向に沿って隣り合うセグメントに跨るように、反ポケット側の軸方向端部に円弧形状の連結部材が嵌合されるものであるので、周方向に沿って隣り合うセグメント間に屈曲形状を成さない。すなわち、保持器の多角形化を抑制することができる。
【００１８】
前記連結部材の円周長さが、セグメントの円周長さと同等とされているのが好ましい。このように設定することによって、周方向に隣り合うセグメントに跨らないように連結部材をスライドさせれば、軸受に組み込んだセグメントを取り出すことができる。
【００１９】
前記連結部材は、断面コ字形の嵌合部を有し、この嵌合部がセグメントの反ポケット側の軸方向端部にスライド可能に嵌合しているのが好ましい。このように構成することによって、連結部材を安定してセグメントに装着でき、しかも、ボール保持に支障をきたすことがない。
【００２０】
また、連結部材の嵌合部の開口端部に内部側へ膨出する周方向凸条部が設けられ、セグメントの反ポケット側の軸方向端部に前記周方向凸条部が係合する周方向凹条部が設けられているように構成できる。このように構成することによって、連結部材をより安定してセグメントに装着できる。
【００２１】
セグメントと連結部材との間には、係合凸部とこの係合凸部が係合する係合凹部とからなる凹凸嵌合構造にて、連結部材のセグメントに対する位置決めがなされているものであってもよい。このように位置決めされたものであれば、連結部材が不意にスライドして、保持器の分解を防止することができる。
【００２２】
連結部材が機械加工又はプレス成形した銅系又は鉄系金属材料からなり、連結部材側に設けられた係合凸部をセグメント側の係合凹部に嵌め込んだ状態で、前記連結部材を加締めてこの連結部材の円周方向へのスライドを抑制するように構成できる。このように構成することによって、連結部材が不意にスライドして、保持器の分解を防止することができる。
【００２３】
本発明の第２の転がり軸受用保持器は、周方向に沿って所定ピッチで配設されるポケットを有する少なくとも２個の円弧状セグメントにて環状に形成されてなる転がり軸受用保持器であって、周方向に沿って隣り合うセグメントを連結するための連結構造を備え、この連結構造は、周方向に沿って隣り合うセグメント間に設けられる凹凸嵌合部と、この凹凸嵌合部に嵌入される固定ピンとを備えたものである。
【００２４】
本発明の第２の転がり軸受用保持器によれば、固定ピンにて、凹凸嵌合部が固定されることになって、凹凸嵌合部にがたつきが発生するのを防止できる。これによって、保持器の多角形化を抑制することができる。
【００２５】
凹凸嵌合部は、周方向に沿って隣り合うセグメントの一方のセグメント端面に設けられる凸部と、他方のセグメント端面に設けられて前記凸部が嵌合する凹部とからなり、凸部と凹部との嵌合状態で、固定ピンの嵌入で嵌合状態を維持するようにできる。また、前記凹凸嵌合部は、周方向に沿って隣り合うセグメント間に介在される中間部材を有し、固定ピンにて、中間部材を両セグメントに固定したものであってもよい。
【００２６】
本発明の転がり軸受は、前記軸受用保持器を用いたものである。このような軸受用保持器を用いた場合、保持器の多角形化を防止でき、しかも、いわゆる超薄肉型転がり軸受を構成することができる。このため、この転がり軸受は、ＣＴスキャナ装置に用いることができる。
【発明の効果】
【００２７】
本発明では、セグメント同士の振動異音及びセグメントの軌道面接触による軸受のトルク上昇の軽減を図ることが可能となる。
【図面の簡単な説明】
【００２８】
【図１】本発明に係る転がり軸受の要部簡略断面図である。
【図２】本発明に係る転がり軸受用保持器の簡略図である。
【図３】本発明に係る第１の転がり軸受用保持器を構成するセグメントの展開状態の要部拡大平面図である。
【図４】第１の転がり軸受用保持器のセグメントの要部簡略斜視図である。
【図５】第１の軸受用保持器の要部底面図である。
【図６】図４のＸ−Ｘ線断面図である。
【図７】連結部材の要部斜視図である。
【図８】セグメントの要部斜視図である。
【図９】本発明に係る第２の転がり軸受用保持器を構成するセグメントの展開状態の要部拡大平面図である。
【図１０】本発明に係る第２の転がり軸受用保持器の要部底面図である。
【図１１】図９のＹ−Ｙ線断面図である。
【図１２】本発明に係る第３の転がり軸受用保持器を構成するセグメントの展開状態の要部拡大平面図である。
【図１３】本発明に係る第３の転がり軸受用保持器の要部底面図である。
【図１４】図１２のＺ−Ｚ線断面図である。
【図１５】本発明に係る転がり軸受が用いたＣＴスキャナ装置の簡略図である。
【図１６】セグメントを用いた保持器の簡略図である。
【図１７】保持器が多角形状を成した状態を示し、（ａ）は嵌合部が外径側へずれた場合を示す簡略図であり、（ｂ）は嵌合部が内径側へずれた場合を示す簡略図である。
【図１８】従来の転がり軸受の要部簡略断面図である。
【図１９】図１８に示す転がり軸受の保持器の要部斜視図である。
【図２０】従来の保持器のセグメントの展開状態の平面図である。
【図２１】従来の保持器のセグメントの連結状態を示す展開状態の要部平面図である。
【図２２】嵌合部に隙間が形成された状態の簡略図である。
【発明を実施するための形態】
【００２９】
以下本発明の実施の形態を図１〜図１６に基づいて説明する。図１は、本発明に係る転がり軸受を示し、転がり軸受は、外径面に内側転走面２１ａが形成された内輪２１と、内径面に外側転走面２２ａが形成された外輪２２と、内輪２１の内側転走面２１ａと外輪２の外側転走面２２ａとの間に転動自在に介在される転動体としての複数の玉（ボール）２３と、内輪２１と外輪２２との間に配され、各玉２３を円周方向等間隔に保持する樹脂製の冠形状の保持器２４とで主要部が構成される。
【００３０】
また、この場合の保持器２４は、図２に示すように、複数個（図例では、１０個）の円弧形状のセグメント２５で構成される。セグメント２５は、図３〜図７に示すように、周方向に沿って所定ピッチで配設される複数個のポケット２６を有するものである。すなわち、セグメント２５は、所定ピッチで凹部２６ａが形成された円弧形状の本体部２７と、本体部２７の各凹部２６ａの開口端から突設される一対の爪部２６ｂ、２６ｂとを有し、凹部２６ａと対向する一対の爪部２６ｂ，２６ｂとでポケット２６を形成する。
【００３１】
この保持器２４においては、周方向に沿って隣り合うセグメント２５，２５を連結するための連結構造Ｍを備える。この連結構造Ｍは、周方向に沿って隣り合うセグメント２５，２５に跨るように、反ポケット側の軸方向端部に嵌合される円弧形状の連結部材５１にて構成されている。
【００３２】
連結部材５１は断面コ字形の円弧形状体であり、図６と図７とに示すように、断面コ字形の嵌合部５２を有する。すなわち、連結部材５１は、底壁５１ａと、底壁から突設される一対の対向壁５１ｂ、５１ｂとからなり、対向壁５１ｂ、５１ｂの内面反底壁部、すなわち、嵌合部５２の開口端部の内部側へ膨出する周方向凸条部５３、５３が設けられている。
【００３３】
また、図６と図８とに示すように、セグメント２５の反ポケット側の軸方向端部の外面に、周方向凹条部５４，５４が設けられている。すなわち、連結部材５１の嵌合部５２がセグメント２５の反ポケット側の軸方向端部に嵌合させることができ、この嵌合状態では、連結部材５１の周方向凸条部５３、５３がセグメント２５の周方向凹条部５４、５４に係合する。
【００３４】
この場合、一方の周方向凸条部５３の端縁部には、図７に示すような係合凸部５３ａが設けられ、この係合凸部５３ａが設けられている側の周方向凹条部５４に、図８に示すように、係合凹部５４ａが設けられている。すなわち、周方向凸条部５３、５３が周方向凹条部５４、５４に係合している状態で、係合凸部５３ａが係合凹部５４ａに係合する。これによって、連結部材５１のセグメント２５に対する位置決めがなされ、連結部材５１がセグメント２５に対して、周方向のスライドが規制される。
【００３５】
ところで、連結部材５１の円周長さが、セグメント２５の円周長さと同等とされている。すなわち、連結部材５１の円周長さが、セグメント２５の円周長さと同一長さ乃至同一長さよりもわずかに短い寸法に設定される。わずかに短い寸法とは寸法公差内に収まる範囲を含むものである。
【００３６】
また、係合凹部５４ａがセグメント２５の周方向（円周方向）に中央部に設けられている。このため、一の連結部材５１を、周方向凸条部５３、５３が周方向凹条部５４、５４に係合している状態で、係合凸部５３ａが係合凹部５４ａに係合する状態とすれば、周方向に隣り合うセグメント２５，２５に跨らせることができる。従って、セグメント２５と同数の連結部材５１を装着するようにすれば、全ての周方向に隣り合うセグメント２５，２５に連結部材５１を跨らせることができる。
【００３７】
本発明の保持器２４では、周方向に沿って隣り合うセグメント２５，２５に跨るように、反ポケット側の軸方向端部に周方向スライド可能に円弧形状の連結部材５１が嵌合されるものであるので、周方向に沿って隣り合うセグメント２５，２５間に屈曲形状を成さない。すなわち、保持器の多角形化を抑制することができる。このため、セグメント２５，２５同士の振動異音及びセグメント２５の軌道面接触による軸受のトルク上昇の軽減を図ることが可能となる。
【００３８】
連結部材５１の円周長さが、セグメント２５の円周長さと同等とされているのが好ましい。このように設定することによって、周方向に隣り合うセグメント２５，２５に跨らないように連結部材５１をスライドさせれば、軸受に組み込んだセグメント２５を取り出すことができる。
【００３９】
連結部材５１は、断面コ字形の嵌合部５２を有し、この嵌合部５２がセグメント２５の反ポケット側の軸方向端部に嵌合している。このように構成することによって、連結部材５１を安定してセグメント２５に装着でき、しかも、ボール保持に支障をきたすことがない。
【００４０】
また、連結部材５１の嵌合部５２の開口端部に内部側へ膨出する周方向凸条部５３が設けられ、セグメント２５の反ポケット側の軸方向端部に周方向凸条部５３が係合する周方向凹条部５４が設けられているように構成できる。このように構成することによって、連結部材５１をより安定してセグメント２５に装着できる。
【００４１】
セグメント２５と連結部材５１との間には、係合凸部５３ａとこの係合凸部５３ａが係合する係合凹部５４ａとからなる凹凸嵌合構造にて、連結部材５１のセグメント２５に対する位置決めがなされているものであってもよい。このように位置決めされたものであれば、連結部材５１が不意にスライドして、保持器２４の分解を防止することができる。
【００４２】
この場合、連結部材５１が機械加工又はプレス成形した銅系又は鉄系金属材料からなり、連結部材５１側に設けられた係合凸部５３ａをセグメント側の係合凹部５４ａに嵌め込んだ状態で、連結部材５１を加締めてこの連結部材５１の円周方向へのスライドを抑制するように構成できる。このように構成することによって、連結部材５１が不意にスライドして、保持器２４の分解を防止することができる。
【００４３】
次に図９〜図１１は本発明に係る第２の転がり軸受用保持器を示し、この場合の連結構造Ｍは、周方向に沿って隣り合うセグメント２５，２５間に設けられる凹凸嵌合部Ｍ１と、この凹凸嵌合部Ｍ１に嵌入される固定ピン５５とを備えたものである。
【００４４】
凹凸嵌合部Ｍ１は、周方向に沿って隣り合う一方のセグメント２５の周方向端面の中間部に設けられる凸部５６と、この周方向端面に対向する他方のセグメントの周方向端面の中間部の凹部５７とからなる。従って、セグメント２５を周方向に沿って隣り合うように配設することによって、一のセグメント２５に凸部５６がこのセグメント２５に周方向に隣り合うセグメント２５の凹部５７に嵌合する。
【００４５】
そして、この凹凸嵌合部Ｍ１の嵌合状態で、固定ピン５５が、この凹凸嵌合部Ｍ１に嵌入される。この場合、凸部５６と凹部５７とは軸方向にガタを生じない状態で嵌合される。凹部５７が形成されることによって、この凹部５７が形成された周方向端部には、凹部５７を挾むように、第１・第２残部５８ａ、５８ｂが形成される。このため、固定ピン５５は、第１残部５８ａ、凸部５６、及び第２残部５８ｂに嵌入される。この嵌入によって、凹凸嵌合部Ｍ１が嵌合状態が固定(維持)され、凸部５６と凹部５７との間に、軸方向及び径方向のガタが生じない。
【００４６】
このように、図９等に示す保持器においては、固定ピン５５にて、凹凸嵌合部Ｍが固定されることになって、凹凸嵌合部Ｍにがたつきが発生するのを防止できる。これによって、保持器の多角形化を抑制することができる。
【００４７】
次に図１２〜図１４は本発明に係る第３の転がり軸受用保持器を示し、この場合の連結構造Ｍの凹凸嵌合部Ｍ１は、周方向に沿って隣り合うセグメント間に介在される中間部材６０を有するものである。
【００４８】
中間部材６０は、基部６０ａと、この基部６０ａの中間部から直交するよる突設される突出部６０ｂとを有する断面Ｔ字形状体からなる。また、周方向に沿って隣り合うセグメント２５，２５の端部には、切欠部６１，６１が設けられ、切欠部６１，６１に中間部材６０の基部６０ａが嵌合される。このように、切欠部６１，６１に中間部材６０の基部６０ａが嵌合された状態では、周方向に沿って隣り合うセグメント２５，２５の端部間に、突出部６０ｂが嵌入される隙間が形成される。
【００４９】
そして、このように中間部材６０が周方向に沿って隣り合うセグメント間に介在された状態で、基部６０ａの周方向両端部にそれぞれ固定ピン５５，５５が嵌入されて、連結構造Ｍの凹凸嵌合部Ｍ１が固定される。この場合、凹凸嵌合部Ｍ１において、軸方向及び周方向にガタを生じないように、中間部材６０および切欠部６１，６１等の寸法形状が設定される。
【００５０】
この図１２等に示す保持器２４においても、固定ピン５５にて、凹凸嵌合部Ｍ１が固定されることになって、凹凸嵌合部Ｍ１にがたつきが発生するのを防止できる。これによって、保持器２４の多角形化を抑制することができる。
【００５１】
このため、図９や図１２等に示す連結構造Ｍを有するものであっても、セグメント同士の振動異音及びセグメント２５，２５の軌道面接触による軸受のトルク上昇の軽減を図ることが可能となる。
【００５２】
各実施形態での保持器２４のセグメント２５は、鋼または銅合金の金属製であっても、樹脂製であってもよい。樹脂製では、ポリアセタール、ポリアミド(ナイロン６．６、ナイロン４．６)、ふっ素樹脂などがあり、それらをガラス繊維や炭素繊維で強化して用いることができる。なお、図９等に示す連結部材５１および図１２等に示す中間部材に材質として、セグメント２５に使用する材質を使用することができ、この際、セグメント２５と同一の材質のものであっても、相違する材質のものであってもよい。
【００５３】
ところで、前記のように構成された転がり軸受は、いわゆる超薄肉型転がり軸受を構成することができるので、例えば、図１５に示すようなＣＴスキャナ装置に用いることができる。
【００５４】
ＣＴスキャナ装置は、Ｘ線管装置７１で発生させたＸ線が、その強度分布を一様にするためのウェッジフィルタ７２、および強度分布を制限するスリット７３を介して被写体７４に照射される。被写体７４を通過したＸ線は検出器７５で受けられ、電気信号に変換されて図示しないコンピュータに送られる。Ｘ線管装置７１、ウェッジフィルタ７２、スリット７３、および検出器７５などの各部品は、本発明に係る転がり軸受５０を介して固定架台７７に回転自在に支持された略円筒状の回転架台７８に取り付けられ、回転架台７８の回転に伴って被写体７４の周囲を回転する。そして、互いに対向するＸ線管装置７１と検出器７５とが被写体７４まわりを回転することにより、被写体７４の検査断面内のあるゆる点で全ての角度をカバーする投影データを得、これらのデータから、予めプログラムされた再構成プログラムにより断層画像を得る。
【００５５】
以上、本発明の実施形態につき説明したが、本発明は前記実施形態に限定されることなく種々の変形が可能であって、保持器２４のセグメント２５の数は少なくとも２個有するものであればよい。また、各セグメント２５におけるポケット数も任意に変更できる。転動体としてボール２３を例示しているが、ころを使用することも可能である。また、転動体の列数を一列とした単列軸受に限らず、二列の転動体を配した複列軸受にも適用可能である。
【００５６】
前記実施形態では、係合凸部５３ａを周方向凸条部５３に設けるとともに、係合凹部５４ａを周方向凹条部５４に設けていたが、係合凸部５３ａを周方向凹条部５４に設けるとともに、係合凹部５４ａを周方向凸条部５３に設けるようにしてもよい。また、係合凸部５３ａの位置、及び係合凹部５４ａの位置としても、一つの連結部材５１が周方向に沿って隣り合うセグメント２５，２５に跨るものであればよい。係合凸部５３ａ及び係合凹部５４ａをそれぞれ２個以上設けるものであってもよい。
【００５７】
周方向凸条部５３の断面形状及び断面形状、周方向凸条部５３が嵌合す周方向凹条部５４の断面形状及び断面形状も任意に設定できる。また、図９や図１２に示す連結構造Ｍの固定ピン５５として、鋼または銅合金の金属製であっても、樹脂製であってもよい。固定ピン５５として、断面円形乃至楕円形、断面三角形、断面正方形乃至矩形、四角形以外の多角形等の細径の軸部材にて構成したり、このような軸部材からなる本体部と、この本体部の基端部に連設される円盤等からなる頭部とからなるものであったりしてもよい。また、軸部材として、先細形状体であってもよく、ボルト部材であってもよい。なお、ボルト部材を用いる場合、このボルト部材のねじ部にナット部材を螺着したものであってもよい。
【００５８】
ところで、本発明に係る転がり軸受は、いわゆる超薄肉型転がり軸受を構成することができるので、例えば、図１５に示すようなＣＴスキャナ装置に用いることができるが、用途としてＣＴスキャナ装置に限るものではなく、その他の種々の産業機械や工作機構等に使用することができる。
【符号の説明】
【００５９】
２３   玉（ボール）
２４   保持器
２５   セグメント
２６   ポケット
５１   連結部材
５２   嵌合部
５３   周方向凸条部
５３ａ 係合凸部
５４   周方向凹条部
５４ａ 係合凹部
５５   固定ピン
５６   凸部
５７   凹部
６０   中間部材
Ｍ     連結構造
Ｍ１   凹凸嵌合部
【図１】
2020045945.tif 000003
【図２】
2020045945.tif 000004
【図３】
2020045945.tif 000005
【図４】
2020045945.tif 000006
【図５】
2020045945.tif 000007
【図６】
2020045945.tif 000008
【図７】
2020045945.tif 000009
【図８】
2020045945.tif 000010
【図９】
2020045945.tif 000011
【図１０】
2020045945.tif 000012
【図１１】
2020045945.tif 000013
【図１２】
2020045945.tif 000014
【図１３】
2020045945.tif 000015
【図１４】
2020045945.tif 000016
【図１５】
2020045945.tif 000017
【図１６】
2020045945.tif 000018
【図１７】
2020045945.tif 000019
【図１８】
2020045945.tif 000020
【図１９】
2020045945.tif 000021
【図２０】
2020045945.tif 000022
【図２１】
2020045945.tif 000023
【図２２】
2020045945.tif 000024